(57)【要約】【課題】接続ケーブルが導電接着剤によって接続されている駆動回路基板の交換を容易に行うことが出来るディスプレイ装置を提供する。【解決手段】ディスプレイパネルの電極端子部とフレキシブル・ケーブルの一端側に設けられた第１接続端子部が導電接着剤を介して電気的に接続され、フレキシブル・ケーブルの他端側に設けられた第２接続端子部がディスプレイパネルの駆動回路基板の端子部に導電接着剤を介して電気的に接続されるディスプレイ装置において、フレキシブル・ケーブルＣＡの第２接続端子部ＣＡ２が設けられている端部側に、補修用駆動回路基板２１に設けられたコネクタ２１Ａに連結されて電気的に接続されるコネクタ接続部ＣＡ３が設けられている。【選択図】      図３
2004184580.tif 000002
【特許請求の範囲】
【請求項１】
ディスプレイパネルの電極端子部と接続ケーブルの一端側に設けられた第１接続端子部が導電接着剤を介して電気的に接続され、接続ケーブルの他端側に設けられた第２接続端子部がディスプレイパネルの駆動回路基板の端子部に導電接着剤を介して電気的に接続されるディスプレイ装置において、
前記接続ケーブルの第２接続端子部が設けられている端部側に、補修用駆動回路基板に設けられたコネクタ部に連結されて電気的に接続される第３接続端子部が設けられていることを特徴とするディスプレイ装置。
【請求項２】
前記第３接続端子部が、補修用駆動回路基板に設けられたコネクタ部に差し込みにより連結されるコネクタ接続端子部である請求項１に記載のディスプレイ装置。
【請求項３】
前記コネクタ接続端子部が、導体の両面が絶縁被膜によって被覆されている接続ケーブルの一方の面に導体が露出され、この導体が露出されている部分の他方の側の面に補強部材が取り付けられていることによって構成されている請求項２に記載のディスプレイ装置。
【請求項４】
前記コネクタ接続端子部に露出される部分の導体が、剥離自在な絶縁シートによって被覆されている請求項３に記載のディスプレイ装置。
【請求項５】
前記第３接続端子部が、接続ケーブルの第２接続端子部が設けられている端部において第２接続端子部よりも後方側に設けられている請求項１に記載のディスプレイ装置。
【請求項６】
前記第３接続端子部が、接続ケーブルの第２接続端子部が設けられている端部において第２接続端子部よりも先端側に設けられている請求項１に記載のディスプレイ装置。
【請求項７】
前記第３接続端子部が、接続ケーブルの先端部分に並設された複数の第２接続端子部にそれぞれ対応して、複数個並設されている請求項１に記載のディスプレイ装置。
【請求項８】
前記並設された複数の第３接続端子部のそれぞれの間が、互いに離間自在に切り離し可能になっている請求項７に記載のディスプレイ装置。
【請求項９】
前記第２接続端子部が電気的に接続される駆動回路基板の端子部が、この駆動回路基板の基板本体部に対して切り離し自在になっている請求項１に記載のディスプレイ装置。
【請求項１０】
一端側に設けられた第１接続端子部がディスプレイパネルの電極端子部に導電接着剤を介して電気的に接続され、他端側に設けられた第２接続端子部がディスプレイパネルの駆動回路基板の端子部に導電接着剤を介して電気的に接続されて、ディスプレイパネルと駆動回路基板との電気的接続を行うディスプレイ装置の接続ケーブルにおいて、
前記第２接続端子部が設けられている端部側に、補修用駆動回路基板に設けられたコネクタ部に連結されて電気的に接続される第３接続端子部が設けられていることを特徴とするディスプレイ装置の接続ケーブル。
【請求項１１】
前記第３接続端子部が、補修用駆動回路基板に設けられたコネクタ部に差し込みにより連結されるコネクタ接続端子部である請求項１０に記載のディスプレイ装置の接続ケーブル。
【請求項１２】
前記コネクタ接続端子部が、両面が絶縁被膜によって被覆されている導体の一方の面が露出され、この導体が露出されている部分の他方の側の部分に補強部材が取り付けられていることによって構成されている請求項１１に記載のディスプレイ装置の接続ケーブル。
【請求項１３】
前記コネクタ接続端子部に露出される部分の導体が、剥離自在な絶縁シートによって被覆されている請求項１２に記載のディスプレイ装置の接続ケーブル。
【請求項１４】
前記第３接続端子部が、接続ケーブルの第２接続端子部が設けられている端部において第２接続端子部よりも後方側に設けられている請求項１０に記載のディスプレイ装置の接続ケーブル。
【請求項１５】
前記第３接続端子部が、接続ケーブルの第２接続端子部が設けられている端部において第２接続端子部よりも先端側に設けられている請求項１０に記載のディスプレイ装置の接続ケーブル。
【請求項１６】
前記第３接続端子部が、接続ケーブルの先端部分に並設された複数の第２接続端子部にそれぞれ対応して、複数個並設されている請求項１０に記載のディスプレイ装置の接続ケーブル。
【請求項１７】
前記並設された複数の第３接続端子部のそれぞれの間が、互いに離間自在に切り離し可能になっている請求項１６に記載のディスプレイ装置の接続ケーブル。
【発明の詳細な説明】
【０００１】
【発明の属する技術分野】
この発明は、ディスプレイ装置およびこのディスプレイ装置に使用されて電気的接続を行う接続ケーブルに関する。
【０００２】
【従来技術】
ディスプレイ装置には、プラズマディスプレイパネル（ＰＤＰ）やフィールドエミッションディスプレイパネル（ＦＥＤ），有機または無機のＥＬディスプレイパネル，液晶パネルなどのフラットディスプレイパネルを備えているものがある。
【０００３】
例えば、ＰＤＰは、一対の前面基板と背面基板が互いに平行に対向するように配置されて、その間の放電空間の周囲が封止された構造になっている。
【０００４】
そして、反射交流型ＰＤＰは、前面基板の内面に面放電（表示放電）を行う複数の行電極対とこの行電極対を被覆する誘電体層が形成され、背面基板の前面基板に対向する内面側に、行電極対と直交する方向に配列されて行電極対の一方の行電極との間で選択放電を行う列電極とこの列電極を被覆する列電極保護層とが形成されており、この前面基板と背面基板の間に、放電空間を放電セル毎に区画する隔壁が形成されていて、各放電セル内に、それぞれ赤，緑，青の三原色に色分けされた蛍光体層が順に形成された構成を備えている。
【０００５】
図１および２は、上記のようなＰＤＰを備えたディスプレイ装置において、ＰＤＰとこのＰＤＰを駆動するためのドライバ基板との間の従来の電気的接続構造を示している。
【０００６】
図１はＰＤＰと駆動回路基板との関係を概略的に示す平面図であり、図２は、このディスプレイ装置のＰＤＰの行電極から引き出された電極端子部とドライバ基板との電気的接続部分を部分的に拡大して示す側断面図である。
【０００７】
この図１において、ディスプレイ装置のＰＤＰ１の行電極対の一方の行電極は、それぞれフレキシブル・ケーブルＣ１を介して対応するサスティン・ドライバ基板２Ａに接続されており、他方の行電極は、それぞれフレキシブル・ケーブルＣ２を介して対応するスキャン・サスティン・ドライバ基板２Ｂに接続されている。
【０００８】
さらに、ＰＤＰ１の列電極は、それぞれフレキシブル・ケーブルＣ３を介して対応するアドレス・ドライバ基板２Ｃに接続されている。
【０００９】
図２は、このようなＰＤＰ１と各ドライバ基板との電気的接続部のうち、フレキシブル・ケーブルＣ１によって、行電極対の一方の行電極とサスティン・ドライバ基板２Ａとが電気的に接続されている状態を示している。
【００１０】
なお、以下においては、この図２の構成に基づいて、ＰＤＰ１の行電極対の一方の行電極とサスティン・ドライバ基板２Ａとのフレキシブル・ケーブルＣ１による電気的接続部の構成について説明を行うが、他のフレキシブル・ケーブルＣ２による行電極対の他方の行電極とスキャン・サスティン・ドライバ基板２Ｂとの電気的接続部、および、フレキシブル・ケーブルＣ３による列電極とアドレス・ドライバ基板２Ｃとの電気的接続部の構成も、図２の構成とほぼ同様である。
【００１１】
この図２において、フレキシブル・ケーブルＣ１の一端部Ｃ１ａは、ＰＤＰ１の行電極対の一方の行電極から引き出された電極端子部１ａに熱硬化性の異方性導電接着剤ａが塗布されて、この電極端子部１Ａに対して所定位置に重ね合わされた状態で熱圧着されることにより、電気的に接続される。
【００１２】
さらに、このフレキシブル・ケーブルＣ１の他端部Ｃ１ｂも、上記と同様に、サスティン・ドライバ基板２Ａの電極端子部２Ａａに熱硬化性の異方性導電接着剤ｂが塗布されて、この電極端子部２Ａａに対して所定位置に重ね合わされた状態で熱圧着されることにより、電気的に接続される（例えば、特許文献１参照）。
【００１３】
ＦＥＤや有機または無機のＥＬディスプレイパネル，液晶パネルなどの他のフラットディスプレイパネルとそのドライバ基板との電気的接続部の構成も、上記したのとほぼ同様の構成である。
【００１４】
【特許文献１】
特開２０００−１５００３３号公報（従来の技術の欄）
【００１５】
【発明が解決しようとする課題】
上記のように、フラットディスプレイパネルの電極端子部とフレキシブル・ケーブルの一端部との電気的接続、および、フレキシブル・ケーブルの他端部とドライバ基板の電極端子部との電気的接続を、熱硬化性の異方性導電接着剤を使用した熱圧着によって行うのは、この電気的接続を、コネクタ接続方式によって行う場合には、工場内における生産段階でゴミなどの導電性異物がコネクタ内に付着して接触不良が発生する虞があるからであり、さらに、異方性導電接着剤を使用した熱圧着方式を採用することによって、ディスプレイ装置の生産コストを低く抑えることが出来るからである。
【００１６】
しかしながら、上記のような構成の従来のディスプレイ装置は、フラットディスプレイパネルに接続されたドライバ基板が故障して交換しなければならなくなったような場合に、フレキシブル・ケーブルとドライバ基板の電気的接続が、異方性導電接着剤を使用した熱圧着方式によって行われていることによって、例えば家庭などのディスプレイ装置が設置されている場所ではドライバ基板の交換を容易に行うことが出来ないので、そのディスプレイ装置を工場に持ち込んで専用設備を用いて交換作業を行う必要が生じ、そのために多大な労力を必要とするとともに、修理費が高額になってしまうという問題が発生している。
【００１７】
この発明は、上記のような従来のディスプレイ装置が有している問題点を解決することを目的としている。
【００１８】
【課題を解決するための手段】
第１の発明（請求項１に記載の発明）によるディスプレイ装置は、上記目的を達成するために、ディスプレイパネルの電極端子部と接続ケーブルの一端側に設けられた第１接続端子部が導電接着剤を介して電気的に接続され、接続ケーブルの他端側に設けられた第２接続端子部がディスプレイパネルの駆動回路基板の端子部に導電接着剤を介して電気的に接続されるディスプレイ装置において、前記接続ケーブルの第２接続端子部が設けられている端部側に、補修用駆動回路基板に設けられたコネクタ部に連結されて電気的に接続される第３接続端子部が設けられていることを特徴としている。
【００１９】
さらに、第２の発明（請求項１０に記載の発明）によるディスプレイ装置の接続ケーブルは、上記目的を達成するために、一端側に設けられた第１接続端子部がディスプレイパネルの電極端子部に導電接着剤を介して電気的に接続され、他端側に設けられた第２接続端子部がディスプレイパネルの駆動回路基板の端子部に導電接着剤を介して電気的に接続されて、ディスプレイパネルと駆動回路基板との電気的接続を行うディスプレイ装置の接続ケーブルにおいて、前記第２接続端子部が設けられている端部側に、補修用駆動回路基板に設けられたコネクタ部に連結されて電気的に接続される第３接続端子部が設けられていることを特徴としている。
【００２０】
【発明の実施の形態】
以下、この発明の最も好適と思われる実施の形態について、図面を参照しながら詳細に説明を行う。
【００２１】
図３ないし６は、この発明によるディスプレイ装置の実施形態における第１の例を示している。
【００２２】
図３はこのディスプレイ装置のフラットディスプレイパネルと駆動回路基板の電気的接続部の構成を示す側断面図、図４はフラットディスプレイパネルと駆動回路基板の電気的接続が切断された状態を示す側断面図、図５はフラットディスプレイパネルと補修用駆動回路基板との電気的接続部の構成を示す側断面図、図６はフラットディスプレイパネルと駆動回路基板とを電気的に接続するフレキシブル・ケーブルの駆動回路基板側接続部分の構成を示す平面図である。
【００２３】
図３において、フラットディスプレイパネル１０と駆動回路基板１１との電気的接続を行うフレキシブル・ケーブルＣＡのフラットディスプレイパネル１０側に接続される端部には、導体ＣＡａがこの導体ＣＡａを被覆する絶縁被膜ＣＡｂから露出された第１接続端子部ＣＡ１が形成されており、駆動回路基板１１側に接続される端部には、同様に、導体ＣＡａが絶縁被膜ＣＡｂから露出されている第２接続端子部ＣＡ２が形成されている。
【００２４】
そして、第２接続端子部ＣＡ２の直ぐ後方部分の所要の範囲（駆動回路基板１１との電気接続に必要な範囲）の絶縁被膜ＣＡｂが剥がされて、この絶縁層ＣＡｂが剥がされた部分に、代わりに、絶縁シートＣＡｂ１が剥離自在に貼り付けられている。
【００２５】
なお、この例においては、この絶縁シートＣＡｂ１が貼り付けられている側が、第２接続端子部ＣＡ２の導体ＣＡａが露出されている側とは反対側に位置されるように設定されている。
【００２６】
さらに、この絶縁シートＣＡｂ１が貼り付けられている側とは反対側（第２接続端子部ＣＡ２の導体ＣＡａが露出されている側と同じ側）の絶縁被膜ＣＡｂ上に、補強板ＣＡｂ２が固定されている。
【００２７】
この絶縁シートＣＡｂ１が貼り付けられているとともに補強板ＣＡｂ２が固定されている部分が、コネクタ接続部ＣＡ３を構成している。
【００２８】
このフレキシブル・ケーブルＣＡは、その生産工程においては、図３に示されるように、第１接続端子部ＣＡ１が、フラットディスプレイパネル１０から引き出されている電極端子部１０Ａに対して、熱硬化性の異方性導電接着剤ａを介して重ね合わされて熱圧着されることにより、電気的に接続される。
【００２９】
同様に、フレキシブル・ケーブルＣＡの第２接続端子部ＣＡ２も、駆動回路基板１１から引き出されている電極端子部１１Ａに対して、熱硬化性の異方性導電接着剤ｂを介して重ね合わされて熱圧着されることにより、電気的に接続される。
【００３０】
このようにして生産されたディスプレイ装置が、ユーザによって設置された家庭などにおいて故障して、駆動回路基板１１を交換しなければならなくなった場合には、その修理の際に、図４に示されるように、フレキシブル・ケーブルＣＡの第２接続端子部ＣＡ２とコネクタ接続部ＣＡ３の間が切断されて、フレキシブル・ケーブルＣＡが、故障した駆動回路基板１１から分離される。
【００３１】
そして、この後、この故障した駆動回路基板１１が交換されて、図５に示されるように、駆動回路基板１１の代わりに補修用駆動回路基板２１がディスプレイ装置に取り付けられる。
【００３２】
この補修用駆動回路基板２１は、駆動回路基板１１と同一の機能を備えているが、電極端子部１１Ａの代わりに、後述するようにフレキシブル・ケーブルＣＡのコネクタ接続部ＣＡ３が連結されるコネクタ２１Ａが取り付けられているものである。
【００３３】
このようにして補修用駆動回路基板２１の取り付けが終わると、フレキシブル・ケーブルＣＡの切断された側の端部に位置しているコネクタ接続部ＣＡ３の絶縁シートＣＡｂ１が剥がされて、その部分の導体ＣＡａが露出される。
【００３４】
そして、このようにして、導体ＣＡａが露出されたコネクタ接続部ＣＡ３が、補修用駆動回路基板２１のコネクタ２１Ａ内に補強板ＣＡｂ２とともに挿入され、これによって、補修用駆動回路基板２１に対して電気的に接続される。
【００３５】
このとき、補強板ＣＡｂ２によって、コネクタ接続部ＣＡ３が撓むのが防止されて、補修用駆動回路基板２１のコネクタ２１Ａとの接続が容易になる。
【００３６】
このように、上記ディスプレイ装置によれば、故障した駆動回路基板１１に熱圧着されているフレキシブル・ケーブルＣＡの第２接続端子部ＣＡ２を切断し、このフレキシブル・ケーブルＣＡの切断されている側に設けられているコネクタ接続部ＣＡ３を、交換された補修用駆動回路基板２１のコネクタ２１Ａに連結することによって、容易に駆動回路基板１１の補修用駆動回路基板２１への交換を行うことが出来るので、ディスプレイ装置の駆動回路基板１１が故障した際に、従来のように、そのディスプレイ装置を工場に持ち帰って専用設備によってその交換を行わなければならないといった手数や費用を省くことが出来るようになる。
【００３７】
図６は、上記フレキシブル・ケーブルＣＡの第２接続端子部ＣＡ２とコネクタ接続部ＣＡ３側の端部の構成を示すものであって、この図６の（ａ）は、工場出荷時の第２接続端子部ＣＡ２とコネクタ接続部ＣＡ３が連結されている状態を示す平面図であり、（ｂ）は、駆動回路基板の補修時の第２接続端子部ＣＡ２が切り離された状態のコネクタ接続部ＣＡ３の状態を示す平面図である。
【００３８】
この図６（ａ）において、フレキシブル・ケーブルＣＡの駆動回路基板１１への接続側の端部は平板状に成形されていて、互いに平行に延びるように配置された複数の導体ＣＡａの端部が等間隔に露出されていることによって、フレキシブル・ケーブルＣＡの端縁に沿って、複数の第２接続端子部ＣＡ２が並設されている。
【００３９】
このフレキシブル・ケーブルＣＡの各第２接続端子部ＣＡ２が設けられている部分の直ぐ後方（図において上方）の導体ＣＡａと直交する方向（図において左右方向）に延びる帯状部分において、各導体ＣＡａの間の部分に、それぞれ裏表に貫通する方形の窓孔ｗが形成されており、さらに、各窓孔ｗの間の導体ＣＡａに対向する部分の絶縁被膜ＣＡｂが剥がされて、その代わりに、絶縁シートＣＡｂ１が剥離自在に貼り付けられることによって、この部分の導体ＣＡａが被覆されている。
【００４０】
そして、このフレキシブル・ケーブルＣＡの絶縁シートＣＡｂ１が貼り付けられている部分の裏側には、図示しない補強板が固定されており、コネクタ接続部ＣＡ３が構成されている。
【００４１】
さらに、フレキシブル・ケーブルＣＡの各コネクタ接続部ＣＡ３が設けられている部分の直ぐ後方のそれぞれ導体ＣＡａの間の部分の領域内の絶縁被膜ＣＡｂに、窓孔ｗの内側の一辺（図において上側の一辺）を底辺として台形形状を描くように、切り取り用のミシン目（スリットでも良い）ｍが形成されている。
【００４２】
この図６（ａ）のフレキシブル・ケーブルＣＡは、図３において説明したように、工場からの出荷時には、先端部の各第２接続端子部ＣＡ２が、それぞれ、熱硬化性の異方性導電接着剤ｂによって駆動回路基板１１の電極端子部１１Ａに熱圧着されることによって、電気的に接続される。
【００４３】
そして、駆動回路基板１１の補修の際には、図６（ｂ）に示されるように、第２接続端子部ＣＡ２とコネクタ接続部ＣＡ３の間の部分が切断されて、各第２接続端子部ＣＡ２がフレキシブル・ケーブルＣＡの先端部から切り落とされる（図４参照）。
【００４４】
このとき、ミシン目ｍも切断されて、このミシン目ｍに囲まれた部分の絶縁被膜ＣＡｂが台形形状に切り離される。
【００４５】
このようにして、各コネクタ接続部ＣＡ３を支持するアーム部分を、隣接する他のコネクタ接続部ＣＡ３から独立して移動させることが出来るようになる。
【００４６】
この状態で、各コネクタ接続部ＣＡ３部分の絶縁シートＣＡｂ１を剥がして、それぞれの導体ＣＡａの先端部分が、図５において説明したように、交換された補修用駆動回路基板に設けられている対応する各コネクタに連結されることによって、電気的に接続される。
【００４７】
図７ないし９は、この発明によるディスプレイ装置の実施形態における第２の例を示している。
【００４８】
図７はこのディスプレイ装置のフラットディスプレイパネルと駆動回路基板の電気的接続部の構成を示す側断面図、図８はフラットディスプレイパネルと駆動回路基板の電気的接続が切断された状態を示す側断面図、図９はフラットディスプレイパネルと補修用駆動回路基板との電気的接続部の構成を示す側断面図である。
【００４９】
図７において、フラットディスプレイパネル１０と駆動回路基板１１との電気的接続を行うフレキシブル・ケーブルＣＢのフラットディスプレイパネル１０側に接続される端部には、導体ＣＢａがこの導体ＣＢａを被覆する絶縁被膜ＣＢｂから露出された第１接続端子部ＣＢ１が形成されており、駆動回路基板１１側に接続される端部の先端部から所要の長さだけ後方の部分には、同様に、導体ＣＢａが絶縁被膜ＣＢｂから露出されている第２接続端子部ＣＢ２が形成されている。
【００５０】
そして、フレキシブル・ケーブルＣＢの第２接続端子部ＣＢ２よりも先端部分の絶縁被膜ＣＢｂが剥がされて、この絶縁層ＣＢｂの代わりに、絶縁シートＣＢｂ１が剥離自在に貼り付けられている。
【００５１】
なお、この例においては、この絶縁シートＣＢｂ１が貼り付けられている部分と、第２接続端子部ＣＢ２の導体ＣＢａが露出されている部分とが、同じ側に位置するように設定されている。
【００５２】
さらに、この絶縁シートＣＢｂ１が貼り付けられている側とは反対側（第２接続端子部ＣＢ２の導体ＣＢａが露出されている側と反対側）の絶縁被膜ＣＢｂ上に、補強板ＣＢｂ２が固定されている。
【００５３】
このフレキシブル・ケーブルＣＢの絶縁シートＣＢｂ１が貼り付けられているとともに補強板ＣＢｂ２が固定されている部分が、コネクタ接続部ＣＢ３を構成している。
【００５４】
このフレキシブル・ケーブルＣＢは、その生産工程においては、図７に示されるように、第１接続端子部ＣＢ１が、フラットディスプレイパネル１０から引き出されている電極端子部１０Ａに対して、熱硬化性の異方性導電接着剤ａを介して重ね合わされて熱圧着されることにより、電気的に接続される。
【００５５】
同様に、フレキシブル・ケーブルＣＢの第２接続端子部ＣＢ２も、駆動回路基板１１から引き出されている電極端子部１１Ａに対して、熱硬化性の異方性導電接着剤ｂを介して重ね合わされて熱圧着されることにより、電気的に接続される。
【００５６】
このとき、コネクタ接続部ＣＢ３は、前述した第１の例におけるディスプレイ装置の場合と異なり、第２接続端子部ＣＢ２よりもフレキシブル・ケーブルＣＢの先端側に位置されていることによって、駆動回路基板１１の内側部分の表面に、補強板ＣＢｂ２を内側にした状態で対向されている。
【００５７】
このようにして生産されたディスプレイ装置が、ユーザによって設置された家庭などにおいて故障して、駆動回路基板１１を交換しなければならなくなった場合には、その修理の際に、図８に示されるように、フレキシブル・ケーブルＣＢの第２接続端子部ＣＢ２と駆動回路基板１１の電極端子部１１Ａとの熱圧着を行っている熱硬化性の異方性導電接着剤ｂがフレキシブル・ケーブルＣＢおよび駆動回路基板１１の電極端子部１１Ａの面に平行に切断されて、フレキシブル・ケーブルＣＢが、故障した駆動回路基板１１から分離される。
【００５８】
そして、この後、この故障した駆動回路基板１１が交換されて、図９に示されるように、駆動回路基板１１の代わりに補修用駆動回路基板２１がディスプレイ装置に取り付けられる。
【００５９】
この補修用駆動回路基板２１は、前述した第１の例において説明したように、駆動回路基板１１と同一の機能を備えているが、電極端子部１１Ａの代わりに、フレキシブル・ケーブルＣＢのコネクタ接続部ＣＢ３と連結可能なコネクタ２１Ｂが取り付けられているものである。
【００６０】
このようにして補修用駆動回路基板２１の取り付けが終わると、フレキシブル・ケーブルＣＢの先端部に位置しているコネクタ接続部ＣＢ３の絶縁シートＣＢｂ１が剥がされて、その部分の導体ＣＢａが露出される。
【００６１】
そして、このようにして、導体ＣＢａが露出されたコネクタ接続部ＣＢ３が、補修用駆動回路基板２１のコネクタ２１Ａ内に補強板ＣＢｂ２とともに挿入され、これによって、補修用駆動回路基板２１に対して電気的に接続される。
【００６２】
このとき、補強板ＣＢｂ２によって、コネクタ接続部ＣＢ３が撓むのが防止されて、補修用駆動回路基板２１のコネクタ２１Ａとの接続が容易になる。
【００６３】
このように、上記ディスプレイ装置によれば、故障した駆動回路基板１１に熱圧着されているフレキシブル・ケーブルＣＢの第２接続端子部ＣＢ２と補修用駆動回路基板２１のコネクタ２１Ａとの熱圧着部分を切断し、このフレキシブル・ケーブルＣＢの先端部に設けられているコネクタ接続部ＣＢ３を、交換された補修用駆動回路基板２１のコネクタ２１Ａに連結することによって、容易に駆動回路基板１１の補修用駆動回路基板２１への交換を行うことが出来るので、ディスプレイ装置の駆動回路基板１１が故障した際に、従来のように、そのディスプレイ装置を工場に持ち帰って専用設備によってその交換を行わなければならないといった手数や費用を省くことが出来るようになる。
【００６４】
そして、この第２の例におけるディスプレイ装置は、第１の例の場合と異なり、フレキシブル・ケーブルＣＢが故障した駆動回路基板１１から切り離された後も、第２接続端子部ＣＢ２がフレキシブル・ケーブルＣＢに残留するので、この第２接続端子部ＣＢ２を使用して、再度、補修用の駆動回路基板との熱硬化性の異方性導電接着剤による熱圧着による電気的接続を行うことも可能である。
【００６５】
図１０および１１は、この発明によるディスプレイ装置の実施形態における第３の例を示している。
【００６６】
図１０はこのディスプレイ装置のフラットディスプレイパネルと駆動回路基板の電気的接続部の構成を示す側断面図、図１１はフラットディスプレイパネルと駆動回路基板の電気的接続が切断された状態を示す側断面図である。
【００６７】
この第３の例におけるディスプレイ装置のフレキシブル・ケーブルＣＢの構成については、上述した第２の例におけるディスプレイ装置と同様である。
【００６８】
この第３の例におけるディスプレイ装置は、図１０に示されるように、駆動回路基板１１の電極端子部１１Ａと基板本体部１１Ｂとの間に、ミシン目（またはスリット）Ｍが形成されていて、駆動回路基板１１の交換時には、図１１に示されるように、駆動回路基板１１のミシン目（またはスリット）Ｍによって電極端子部１１Ａが基板本体部１１Ｂから分離させることによって、フレキシブル・ケーブルＣＢが電極端子部１１Ａごと駆動回路基板１１から切り離される。
【００６９】
そして、この後、電極端子部１１Ａをフレキシブル・ケーブルＣＢの第２接続端子部ＣＢ２から取り外すかまたはそのままの状態で、第２の例の図９の場合と同様に、コネクタ接続部ＣＢ３が、交換された補修用駆動回路基板のコネクタに接続される。
【００７０】
この第３の例のディスプレイ装置は、コネクタ接続部ＣＢ３が第２接続端子部ＣＢ２よりも先端側に位置しているフレキシブル・ケーブルＣＢが使用されている場合に、駆動回路基板１１の補修時において、故障した駆動回路基板１１とフレキシブル・ケーブルＣＢの第２接続端子部ＣＡ２との分離を容易に行うことが出来るようになる。
【００７１】
上記実施形態の各例におけるディスプレイ装置は、ディスプレイパネルの電極端子部と接続ケーブルの一端側に設けられた第１接続端子部が導電接着剤を介して電気的に接続され、接続ケーブルの他端側に設けられた第２接続端子部がディスプレイパネルの駆動回路基板の端子部に導電接着剤を介して電気的に接続されるディスプレイ装置において、前記接続ケーブルの第２接続端子部が設けられている端部側に、補修用駆動回路基板に設けられたコネクタ部に連結されて電気的に接続される第３接続端子部が設けられている実施形態のディスプレイ装置を、その上位概念としているものである。
【００７２】
この上位概念におけるディスプレイ装置は、工場出荷時には、接続ケーブルの第２接続端子部がディスプレイパネルの駆動回路基板の端子部に導電接着剤を介して電気的に接続されているが、このディスプレイ装置が、ユーザによって設置された家庭などにおいて故障して駆動回路基板を交換しなければならなくなった場合には、その補修の際に、接続ケーブルの第２接続端子部と故障した駆動回路基板の端子部との接続が切断される。
【００７３】
そして、この故障した駆動回路基板が補修用駆動回路基板に交換された後、接続ケーブルに設けられている第３接続端子部が、この交換された補修用駆動回路基板にもうけられているコネクタ部に連結されて、補修用駆動回路基板に対して電気的に接続される。
【００７４】
このように、上記ディスプレイ装置によれば、容易に駆動回路基板の補修用駆動回路基板への交換を行うことが出来るようになるので、ディスプレイ装置の駆動回路基板が故障した際に、従来のように、そのディスプレイ装置を工場に持ち帰って専用設備によってその交換を行わなければならないといった手数や費用を省くことが出来るようになる。
【００７５】
前記実施形態の各例におけるディスプレイ装置の接続ケーブル（フレキシブル・ケーブル）は、一端側に設けられた第１接続端子部がディスプレイパネルの電極端子部に導電接着剤を介して電気的に接続され、他端側に設けられた第２接続端子部がディスプレイパネルの駆動回路基板の端子部に導電接着剤を介して電気的に接続されて、ディスプレイパネルと駆動回路基板との電気的接続を行うディスプレイ装置の接続ケーブルにおいて、前記第２接続端子部が設けられている端部側に、補修用駆動回路基板に設けられたコネクタ部に連結されて電気的に接続される第３接続端子部が設けられている実施形態の接続ケーブルを、その上位概念としているものである。
【００７６】
この上位概念におけるディスプレイ装置の接続ケーブルは、工場出荷時には、その第２接続端子部がディスプレイパネルの駆動回路基板の端子部に導電接着剤を介して電気的に接続されているが、ディスプレイ装置がユーザによって設置された家庭などにおいて故障して駆動回路基板を交換しなければならなくなった場合には、その補修の際に、接続ケーブルの第２接続端子部と故障した駆動回路基板の端子部との接続が切断される。
【００７７】
そして、この故障した駆動回路基板が補修用駆動回路基板に交換された後、接続ケーブルに設けられている第３接続端子部が、この交換された補修用駆動回路基板のコネクタ部に連結されて、補修用駆動回路基板に対して電気的に接続される。
【００７８】
このように、上記ディスプレイ装置の接続ケーブルをディスプレイパネルとその駆動回路基板との接続に使用することによって、駆動回路基板の補修用駆動回路基板への交換を容易に行うことが出来るようになるので、ディスプレイ装置の駆動回路基板が故障した際に、従来のように、そのディスプレイ装置を工場に持ち帰って専用設備によってその交換を行わなければならないといった手数や費用を省くことが出来るようになる。
【図面の簡単な説明】
【図１】従来のディスプレイ装置の構成を示す平面図である。
【図２】同ディスプレイ装置のディスプレイパネルと駆動回路基板との電気的接続部の構成を示す側断面図である。
【図３】この発明の実施形態における第１の例を示す側断面図である。
【図４】同例においてフレキシブル・ケーブルを駆動回路基板から切り離した時の状態を示す側断面図である。
【図５】同例においてフレキシブル・ケーブルの補修用駆動回路基板への接続時の状態を示す側断面図である。
【図６】（ａ）は、同例におけるフレキシブル・ケーブルの第２接続端子部およびコネクタ接続部の形態の一例を示す平面図であり、（ｂ）は、同例におけるフレキシブル・ケーブルから第２接続端子部が切り離されたときの形態の一例を示す平面図である。
【図７】この発明の実施形態における第２の例を示す側断面図である。
【図８】同例においてフレキシブル・ケーブルを駆動回路基板から切り離した時の状態を示す側断面図である。
【図９】同例においてフレキシブル・ケーブルの補修用駆動回路基板への接続時の状態を示す側断面図である。
【図１０】この発明の実施形態における第３の例を示す側断面図である。
【図１１】同例においてフレキシブル・ケーブルを駆動回路基板から切り離した時の状態を示す側断面図である。
【符号の説明】
１０                …フラットディスプレイパネル
１０Ａ              …電極端子部
１１                …駆動回路基板
１１Ａ              …電極端子部（端子部）
１１Ｂ              …基板本体部
２１                …補修用駆動回路基板
２１Ａ              …コネクタ（コネクタ部）
ＣＡ，ＣＢ          …フレキシブル・ケーブル（接続ケーブル）
ＣＡａ，ＣＢａ      …導体
ＣＡｂ，ＣＢｂ      …絶縁被膜
ＣＡ１，ＣＢ１      …第１接続端子部
ＣＡ２，ＣＢ２      …第２接続端子部
ＣＡ３，ＣＢ３      …コネクタ接続部（第３接続端子部）
ＣＡｂ１，ＣＢｂ１  …絶縁シート
ＣＡｂ２，ＣＢｂ２  …補強板
ｍ                  …ミシン目
Ｍ                  …ミシン目
ａ，ｂ              …熱硬化性の異方性導電接着剤（導電接着剤）
【図１】
2004184580.tif 000003
【図２】
2004184580.tif 000004
【図３】
2004184580.tif 000005
【図４】
2004184580.tif 000006
【図５】
2004184580.tif 000007
【図６】
2004184580.tif 000008
【図７】
2004184580.tif 000009
【図８】
2004184580.tif 000010
【図９】
2004184580.tif 000011
【図１０】
2004184580.tif 000012
【図１１】
2004184580.tif 000013